(57)【要約】【課題】メガネのずり落ちを抑える滑り止めが鼻梁に当接しないようにすることで、この鼻梁に違和感が生じるおそれを減らすことを可能とするノーズパッドの提供。【解決手段】ノーズパッド１０は、クリングス２０Ａの先端に取り付けられて、使用時において着用者９０の鼻梁９０Ａに当たる鼻当て部１１を備える。また、ノーズパッド１０は、鼻当て部１１において上側となる部分から、クリングス２０Ａ側に向かって屈曲して延びだされる延長部１２を備える。また、ノーズパッド１０は、延長部１２に設けられて、着用者９０のひたい９０Ｂ（体表）に対する摩擦が鼻当て部１１のひたい９０Ｂに対する摩擦よりも大きくなるように構成された滑り止め１２Ａを備える。【選択図】図６
2020020883.tif 000002
【特許請求の範囲】
【請求項１】
着用した状態での使用が可能であり、かつ、使用時において着用者の側頭部に延びるテンプルと前記着用者の鼻梁に延びるクリングスとで自重を支える構成のメガネに取り付けられるノーズパッドにおいて、
前記クリングスの先端に取り付けられて、前記使用時において前記着用者の前記鼻梁に当たる鼻当て部と、
前記鼻当て部において前記使用時に上側となる部分から、前記クリングス側に向かって屈曲して延びだされる延長部と、
前記延長部において前記クリングス側とは反対側となる面に設けられて、前記着用者の体表に対する摩擦が前記鼻当て部の前記体表に対する摩擦よりも大きくなるように構成された滑り止めと、
を備えている、
ノーズパッド。
【請求項２】
請求項１に記載されたノーズパッドであって、
前記体表が、前頭筋の前方に位置されて頭髪の毛包が分布されない部位であるひたいの皮膚である、
ノーズパッド。
【請求項３】
請求項１または請求項２に記載されたノーズパッドであって、
前記滑り止めが、前記延長部において前記鼻当て部から延びだされる先端側から前記鼻当て部側に向かう一方向に傾斜した突出を有して構成されている、
ノーズパッド。
【請求項４】
請求項１ないし請求項３のうちのいずれか１項に記載されたノーズパッドであって、
前記滑り止めが、ウロコを有する魚の皮である、
ノーズパッド。
【請求項５】
着用した状態での使用が可能なメガネにおいて、
使用時において着用者の側頭部に延びるテンプルと、
前記使用時において前記着用者の鼻梁に当たる鼻当て部と、
前記鼻当て部において前記使用時に上側となる部分から、当該使用時において前記鼻梁から離れる側に向かって屈曲して延びだされる延長部と、
前記延長部における、前記使用時において前記鼻梁側となる面に設けられて、前記着用者の体表に対する摩擦が前記鼻当て部の前記体表に対する摩擦よりも大きくなるように構成された滑り止めと、
を備えている、
メガネ。
【発明の詳細な説明】
【技術分野】
【０００１】
本発明は、着用した状態での使用が可能なメガネおよびこのメガネに取り付けられるノーズパッドに関する。
【背景技術】
【０００２】
従来、着用した状態での使用が可能なメガネに関して、使用時において着用者の側頭部に延びるテンプルと着用者の鼻梁に延びるクリングスとで自重を支える構成が広く用いられている。ここで、クリングスの先端には、しばしば、このクリングスにより着用者の鼻梁に生じる違和感を減らすノーズパッドが取り付けられる。
【０００３】
また、メガネは、しばしば遠方視力あるいは近方視力のいずれか一方のみをきょう正するように構成されるため、きょう正の対象ではない距離にあるものを見るとき（遠方視力をきょう正している場合は近くのものを見るとき、近方視力をきょう正している場合は遠くのものを見るとき）には、一時的に不要となるものである。ここで、上述したような構成を有するメガネを使用中に、このメガネが一時的に不要になったときには、メガネの前部を持ち上げてノーズパッドを着用者の体表（具体的には例えば頭あるいはひたい）に当てることで、メガネを着用したまま着用者の体表に保持させることがあった（例えば下記の特許文献１を参照）。ここで、特許文献１に記載された技術では、ノーズパッドをより摩擦係数の大きいスポンジ材で覆うことで、着用者のひたいに保持されたメガネがずり落ちることを抑えている。
【先行技術文献】
【特許文献】
【０００４】
【特許文献１】特開平０９−１４６０５３号公報
【発明の概要】
【発明が解決しようとする課題】
【０００５】
しかし、上記特許文献１に記載された従来の技術では、メガネの使用中において、摩擦係数の大きいスポンジ材が着用者の鼻梁に当接することになる。このため、上記従来の技術には、上記スポンジ材により着用者の鼻梁に違和感が生じるおそれがあるという課題があった。
【０００６】
本発明は、メガネの使用中において、このメガネのずり落ちを抑える滑り止めが鼻梁に当接しないようにすることで、この鼻梁に違和感が生じるおそれを減らすことを可能とするものである。
【課題を解決するための手段】
【０００７】
本発明における１つの特徴によると、着用した状態での使用が可能であり、かつ、使用時において着用者の側頭部に延びるテンプルと着用者の鼻梁に延びるクリングスとで自重を支える構成のメガネに取り付けられるノーズパッドが提供される。このノーズパッドは、クリングスの先端に取り付けられて、使用時において着用者の鼻梁に当たる鼻当て部を備えている。また、ノーズパッドは、鼻当て部において使用時に上側となる部分から、クリングス側に向かって屈曲して延びだされる延長部を備えている。また、ノーズパッドは、延長部において上記クリングス側とは反対側となる面に設けられて、着用者の体表に対する摩擦が鼻当て部の体表に対する摩擦よりも大きくなるように構成された滑り止めを備えている。
【０００８】
上記構成によれば、ノーズパッドが取り付けられたメガネの使用時において、ノーズパッドはその鼻当て部において着用者の鼻梁に当接し、この鼻梁から延長部に設けられた滑り止めを離間させる。また、メガネの前部を持ち上げてノーズパッドを着用者の体表に当てるときにおいて、この体表にはノーズパッドの延長部に設けられた滑り止めが当接する。
【０００９】
ここで、上記体表は、具体的には例えば前頭筋の前方に位置されて頭髪の毛包が分布されない部位であるひたいの皮膚である。
【００１０】
上記ノーズパッドにおける好ましい実施形態の１つにおいては、滑り止めが、延長部において鼻当て部から延びだされる先端側から鼻当て部側に向かう一方向に傾斜した突出を有して構成されている。
【００１１】
この場合、メガネの前部が持ち上げられてノーズパッドが着用者の体表に当てられた状態において、鼻当て部側に向かう一方向に傾斜した突出の流れが、着用者の体表からメガネの前部がずり落ちようとする動きに抵抗する。また、上記突出の流れは、メガネの前部を持ち上げる動きには抵抗しない。
【００１２】
また、上記ノーズパッドにおいては、滑り止めがウロコを有する魚の皮であることが好ましい。
【００１３】
この場合、ノーズパッドの滑り止めに複雑な整形加工をしなくても、この滑り止めには特定の一方側に対しての摩擦抵抗が大きく、この一方側の反対側に対しての摩擦抵抗が小さくなるという性質が与えられる。
【００１４】
また、着用した状態での使用が可能なメガネの発明も提供される。このメガネは、使用時において着用者の側頭部に延びるテンプルを備えている。また、メガネは、使用時において着用者の鼻梁に当たる鼻当て部を備えている。また、メガネは、鼻当て部において使用時に上側となる部分から、使用時において鼻梁から離れる側に向かって屈曲して延びだされる延長部を備えている。また、メガネは、延長部における、上記使用時において鼻梁側となる面に設けられて、着用者の体表に対する摩擦が鼻当て部の体表に対する摩擦よりも大きくなるように構成された滑り止めを備えている。
【００１５】
上記構成によれば、メガネの使用時において、メガネはその鼻当て部において着用者の鼻梁に当接し、この鼻梁から延長部に設けられた滑り止めを離間させる。また、メガネをその前部が持ち上げられた状態で着用者の体表に支持させようとしたときには、この体表には延長部に設けられた滑り止めが当接される。
【発明の効果】
【００１６】
本発明のノーズパッドおよびメガネは、メガネのずり落ちを抑える滑り止めがメガネの使用中に鼻梁に当接しないようにすることで、この鼻梁に違和感が生じるおそれを減らすことができる。
【図面の簡単な説明】
【００１７】
【図１】第１の実施形態であるノーズパッド１０およびノーズパッド１０Ａを表した正面図である。
【図２】図１のノーズパッド１０およびノーズパッド１０Ａを表した背面図である。
【図３】図１のノーズパッド１０を表した右側面図である。
【図４】図１のＩＶ−ＩＶ線端面図である。
【図５】図１のノーズパッド１０の使用状態を表した模式図である。
【図６】図５のＶＩ部拡大図である。
【図７】１つの実施形態であるノーズパッド４０を表した右側面図である。
【図８】１つの実施形態であるノーズパッド５０を表した右側面図である。
【図９】第２の実施形態であるメガネ３０を表した斜視図である。
【発明を実施するための形態】
【００１８】
以下に、本発明を実施するための形態について、図面を用いて説明する。なお、以下においては、前後左右上下のそれぞれを、立って正面を向いた状態のメガネの着用者９０（図５参照）から見た向きとして説明を行う。
【００１９】
〈第１の実施形態〉
始めに、第１の実施形態であるノーズパッド１０およびノーズパッド１０Ａの構成について説明する。ここで、ノーズパッド１０およびノーズパッド１０Ａは、図１および図２に示すように、ノーズパッド１０が左用でありノーズパッド１０Ａが右用であることに対応して左右（図１で見て左右）が反転している点を除いて、全く同じ構成を有している。このため、以下においては、左用のノーズパッド１０および右用のノーズパッド１０Ａについて、その詳細な説明を左用のノーズパッド１０の説明により代表させて行う。そして、右用のノーズパッド１０Ａについての詳細な説明は省略する。
【００２０】
ノーズパッド１０は、図５および図６に示すように、着用した状態での使用が可能なメガネであるつるつきメガネ２０に取り付けられた状態で使用されるノーズパッドである。ここで、つるつきメガネ２０は、２枚のレンズ（図示せず）をそれぞれ縁取るリム２１Ａを左右方向に連結してなるフロント２１を備えている。また、つるつきメガネ２０は、フロント２１の各リム２１Ａにおいて着用者９０の鼻梁９０Ａ側となる部分からこの鼻梁９０Ａに向かって１本ずつ延びだされる針金であるクリングス２０Ａを備えている。これらのクリングス２０Ａは、その先端が輪をなすように丸められている。
【００２１】
また、つるつきメガネ２０は、フロント２１の左右両端をなす部分であるち２１Ｂに１本ずつ取り付けられる２本のテンプル２２を備えている。これらのテンプル２２は、ち２１Ｂにヒンジ機構（図示せず）を介して取り付けられることで、フロント２１に沿うように折りたたまれた状態（図示せず）と、フロント２１から後方に延ばされた状態（図５参照）との切り替えができるようになっている。
【００２２】
また、２本のテンプル２２は、図５に示すように、これらテンプル２２においてフロント２１から後方に延ばされる側の先端部が、着用者９０の耳介９０Ｄに上側からひっかけられるように曲げられたモダン２２Ａとされている。つるつきメガネ２０においては、各モダン２２Ａは、半円の円弧をなすように曲げられた縄手スタイルのモダンとされている。
【００２３】
そして、つるつきメガネ２０は、テンプル２２を着用者９０の側頭部９０Ｃに延ばしてそのモダン２２Ａを着用者９０の耳介９０Ｄにひっかけ、クリングス２０Ａを着用者９０の鼻梁９０Ａに支持させた装着状態（図５の実線を参照）で使用される。この使用時において、つるつきメガネ２０は、その自重をテンプル２２とクリングス２０Ａとで支える。また、つるつきメガネ２０のフロント２１は、上記装着状態において前傾した状態に位置される。
【００２４】
ノーズパッド１０は、つるつきメガネ２０の使用時に着用者９０の鼻梁９０Ａに当たる鼻当て部１１を備えている。この鼻当て部１１は、図１ないし図４に示すように、この鼻当て部１１における前側（図３では左側）の面から前方に突出した係止体１１Ａを備えている。この係止体１１Ａは、図６に示すように、クリングス２０Ａの先端の輪にはめ入れられて係止されることで、鼻当て部１１をクリングス２０Ａの先端に取り付けられた状態にすることを実現させる。また、鼻当て部１１は、つるつきメガネ２０の使用時において着用者９０の鼻梁９０Ａに当たる側（図４では右側）の面がなめらかな面とされることで、つるつきメガネ２０の使用時にクリングス２０Ａが着用者９０の鼻梁９０Ａに生じさせる違和感を減らすようになっている。
【００２５】
また、ノーズパッド１０は、図１ないし図４に示すように、鼻当て部１１においてつるつきメガネ２０の使用時に上側となる部分から屈曲して延びだされる延長部１２を備えている。この延長部１２は、鼻当て部１１において係止体１１Ａが突出される前側（図４では左側）に屈曲されて、左上側（図１では右上側）に向かって延びだされる。この延びだしの向きは、ノーズパッド１０がクリングス２０Ａに取り付けられた状態ではこのクリングス２０Ａ側に向かう向きであり、上述したつるつきメガネ２０の使用時（図５の実線を参照）においては着用者９０の鼻梁９０Ａから離れる側に向かう向きである。
【００２６】
ここで、延長部１２において後ろ側となる面には、この延長部１２とは別の部材（例えばゴムシート）からなる滑り止め１２Ａが張り付けられている。この滑り止め１２Ａは、着用者９０の体表に対する摩擦が、この体表に対する鼻当て部１１の摩擦よりも大きくなるように構成されている。ここで、滑り止め１２Ａが設けられる延長部１２の後ろ側の面は、クリングス２０Ａにノーズパッド１０が取り付けられた状態ではクリングス２０Ａの反対側となる面であり、上記つるつきメガネ２０の使用時においては着用者９０の鼻梁９０Ａ側となる面である。
【００２７】
なお、滑り止め１２Ａの摩擦が考慮される着用者の体表は、例えば図５に示す着用者９０においては、その前頭筋９０Ｅの前方に位置されて頭髪９０Ｆの毛包が分布されない部位であるひたい９０Ｂの皮膚であるが、これに限定されない。すなわち、例えばノーズパッド１０が取り付けられるメガネの着用者がそのひたいを覆うように前髪を下ろした髪型（図示せず）である場合には、滑り止め１２Ａの摩擦が考慮される着用者の体表は、下ろされた前髪となる。
【００２８】
上述した各構成によれば、図５および図６に示すように、つるつきメガネ２０の使用時において、ノーズパッド１０はその鼻当て部１１において着用者９０の鼻梁９０Ａに当接し、この鼻梁９０Ａから延長部１２に設けられた滑り止め１２Ａ（図６参照）を離間させる。この状態において、つるつきメガネ２０が一時的に不要になったときには、着用者９０は、つるつきメガネ２０の前部となるフロント２１を持ち上げることができる。このとき、つるつきメガネ２０は、モダン２２Ａが引っかけられた着用者９０の耳介９０Ｄを中心として回動して、ノーズパッド１０を着用者９０の体表に当てられた状態とする。この体表は、図６では着用者９０のひたい９０Ｂであるが、場合によっては着用者９０のひたい９０Ｂよりも上の頭部であってもよい。
【００２９】
ここで、モダン２２Ａは、その円弧をなすように曲げられた形状により、つるつきメガネ２０のスムーズな回動と、この回動時において着用者９０の耳介９０Ｄ（図５参照）に生じる違和感の抑制との両立を実現させる。また、フロント２１は、図６に実線で示す装着状態においては前傾した状態となる姿勢とされているため、つるつきメガネ２０の回動時における着用者９０のひたい９０Ｂとの干渉が回避される。
【００３０】
また、ノーズパッド１０は、着用者９０の体表であるひたい９０Ｂの皮膚に対して、延長部１２に設けられた滑り止め１２Ａを当接させることで、つるつきメガネ２０のずり落ちを抑える。この滑り止め１２Ａは、上述もしたように、つるつきメガネ２０の使用時において着用者９０の鼻梁９０Ａに当接されないため、この鼻梁９０Ａに違和感が生じるおそれが低減される。
【００３１】
〈第２の実施形態〉
続いて、第２の実施形態であるメガネ３０の構成について、図９を用いて説明する。このメガネ３０は、着用した状態（図示せず）での使用が可能なつるつきメガネである。また、メガネ３０は、２枚のレンズ３０Ａをそれぞれ縁取るリム３３Ａを左右方向に連結してなるフロント３３と、フロント３３の左右両端をなす部分であるち３３Ｂに１本ずつ取り付けられる２本のテンプル３４とを備えている。また、メガネ３０は、フロント３３の各リム３３Ａにおいて着用者の鼻梁側となる部分から後方に突出される鼻当て部３１を備えている。
【００３２】
２本のテンプル３４は、ち３３Ｂにヒンジ機構（図示せず）を介して取り付けられることで、フロント３３に沿うように折りたたまれた状態と、フロント３３から後方に延ばされた状態との切り替えができるようになっている。また、２本のテンプル３４は、これらテンプル３４においてフロント３３から後方に延ばされる側の先端部が、着用者の耳介に上側からひっかけられるように曲げられたモダン３４Ａとされている。メガネ３０においては、各モダン３４Ａは、テンプル３４の先端部をわずかに下方側に曲げてなる半掛けスタイルのモダンとされている。
【００３３】
そして、メガネ３０は、テンプル３４を着用者の側頭部に延ばしてそのモダン３４Ａを着用者の耳介にひっかけ、鼻当て部３１を着用者の鼻梁に支持させた装着状態（図示せず）で使用される。この使用時において、メガネ３０は、その自重をテンプル３４と鼻当て部３１とで支える。ここで、鼻当て部３１は、メガネ３０の使用時において着用者の鼻梁に当たる側の面がなめらかな面とされることで、この使用時に鼻当て部３１が着用者の鼻梁に生じさせる違和感を減らすようになっている。
【００３４】
また、メガネ３０は、鼻当て部３１において上側となる部分から屈曲して延びだされる延長部３２を備えている。この延長部３２は、鼻当て部３１が突出されるリム３３Ａがある前側に屈曲されて、このリム３３Ａが縁取るレンズ３０Ａが位置される側に向かって延びだされる。この延びだしの向きは、メガネ３０の使用時においては着用者の鼻梁から離れる側に向かう向きである。
【００３５】
ここで、延長部３２において後ろ側となる面（すなわちメガネ３０の使用時において着用者の鼻梁側となる面）には、延長部３２とは別の部材（例えばゴムシート）からなる滑り止め３２Ａが張り付けられている。この滑り止め３２Ａは、着用者の体表に対する摩擦が、この体表に対する鼻当て部３１の摩擦よりも大きくなるように構成されている。ここで、上記体表は、例えば着用者のひたいの皮膚である。
【００３６】
上述した各構成によれば、メガネ３０の使用時において、メガネ３０はその鼻当て部３１において着用者の鼻梁に当接し、この鼻梁から延長部３２に設けられた滑り止め３２Ａを離間させる。また、メガネ３０をその前部となるフロント３３が持ち上げられた状態で着用者の体表に支持させようとしたときには、この体表には延長部３２に設けられた滑り止め３２Ａが当接される。したがって、メガネ３０のずり落ちを抑える滑り止め３２Ａがメガネ３０の使用中に着用者の鼻梁に当接しないようになり、この鼻梁に違和感が生じるおそれが減る。
【００３７】
本発明は、上述した第１および第２の実施形態で説明した外観、構成に限定されず、本発明の要旨を変更しない範囲で種々の変更、追加、削除が可能である。例えば、以下のような各種の形態を実施することができる。
【００３８】
例えば、メガネに取り付けられるノーズパッドは、図１ないし図３に示すノーズパッド１０の形状を呈するものに限定されず、例えば図７に示すノーズパッド４０および図８に示すノーズパッド５０を含む種々の形状のノーズパッドとすることができる。
【００３９】
ここで、図７に示すノーズパッド４０は、その滑り止め４２Ａが、延長部４２において鼻当て部４１から延びだされる先端側から鼻当て部４１側に向かう一方向に傾斜したかぎ爪状の突出から構成されている。また、図８に示すノーズパッド５０は、その滑り止め５２Ａが、延長部５２において鼻当て部５１から延びだされる先端側から鼻当て部５１側に向かう一方向に傾斜した複数の突出を有して構成されている。
【００４０】
これらの構成によれば、メガネの前部が持ち上げられてノーズパッドが着用者の体表に当てられた状態において、鼻当て部側に向かう一方向に傾斜した突出の流れが、着用者の体表からメガネの前部がずり落ちようとする動きに抵抗する。また、上記突出の流れは、メガネの前部を持ち上げる動きには抵抗しない。したがって、メガネのずり落ちを抑える滑り止めの機能の確保と、メガネの前部を持ち上げる際の違和感の低減の両立をはかることができる。
【００４１】
なお、図７に示すノーズパッド４０の突出は、その全体が延長部４２および鼻当て部４１と同じ素材（例えばシリコーン）からなるものであっても、その先端にゴムなどの別部材が張り付けられたものであってもよい。また、図８に示すノーズパッド５０の構成は、滑り止め５２Ａに整形加工を施すことで実現されるものであっても、滑り止め５２Ａとしてウロコを有する魚の皮を使用し、そのウロコを突出として機能させることで実現されるものであってもよい。この魚の皮は、例えばエイ・サメ類の皮あるいはカワハギ類の皮であるが、これに限定されるものではない。
【００４２】
ここで、滑り止めとしてウロコを有する魚の皮を使用する構成によれば、ノーズパッドの滑り止めに複雑な整形加工をしなくても、この滑り止めには特定の一方側に対しての摩擦抵抗が大きく、この一方側の反対側に対しての摩擦抵抗が小さくなるという性質が与えられる。したがって、メガネのずり落ちを抑える滑り止めの機能の確保と、メガネの前部を持ち上げる際の違和感の低減の両立をはかることができる。また、滑り止めとして使用する魚の皮がじゅんりんをウロコとして有するエイ・サメ類の皮である場合は、滑り止めに対して特別な化学処理をしなくても、滑り止めのウロコは象牙質およびエナメロイドの層構造により強度が向上された状態となる。したがって、滑り止めの耐久性の確保を、比較的少ない工数で実現することができる。
【００４３】
また、本発明のノーズパッドは、鼻当て部から前方に突出した係止体をクリングスの先端の輪にはめ入れることでこのクリングスの先端に取り付けられるものに限定されない。すなわち、ノーズパッドをクリングスの先端に取り付ける構成としては、例えば鼻当て部の係止体をクリングスの先端に設けられたＹ型端子に差し込んで係止させる構成や、鼻当て部とクリングスとを締結構造である箱蝶により連結する構成など、種々の構成を採用することができる。
【００４４】
また、本発明の実現において用いられるメガネは、図５および図６に示すつるつきメガネ２０および図９に示すメガネ３０に限定されない。すなわち、本発明の実現において用いられるメガネは、例えばリムのないレンズにテンプルおよびクリングスが直接取り付けられたツーポイント型のメガネであってもよい。また、本発明の実現において用いられるメガネは、例えばレンズの代わりにレンズではない透光板を備えた保護メガネ（具体的には例えばサングラス）であってもよい。また、本発明の実現において用いられるメガネは、例えばレンズのないリムにテンプルおよびクリングスが取り付けられただてメガネであってもよい。
【符号の説明】
【００４５】
１０    ノーズパッド
１０Ａ  ノーズパッド
１１    鼻当て部
１１Ａ  係止体
１２    延長部
１２Ａ  滑り止め
２０    つるつきメガネ（メガネ）
２０Ａ  クリングス
２１    フロント
２１Ａ  リム
２１Ｂ  ち
２２    テンプル
２２Ａ  モダン
３０    メガネ
３０Ａ  レンズ
３１    鼻当て部
３２    延長部
３２Ａ  滑り止め
３３    フロント
３３Ａ  リム
３３Ｂ  ち
３４    テンプル
３４Ａ  モダン
４０    ノーズパッド
４１    鼻当て部
４２    延長部
４２Ａ  滑り止め
５０    ノーズパッド
５１    鼻当て部
５２    延長部
５２Ａ  滑り止め
９０    着用者
９０Ａ  鼻梁
９０Ｂ  ひたい（体表）
９０Ｃ  側頭部
９０Ｄ  耳介
９０Ｅ  前頭筋
９０Ｆ  頭髪
【図１】
2020020883.tif 000003
【図２】
2020020883.tif 000004
【図３】
2020020883.tif 000005
【図４】
2020020883.tif 000006
【図５】
2020020883.tif 000007
【図６】
2020020883.tif 000008
【図７】
2020020883.tif 000009
【図８】
2020020883.tif 000010
【図９】
2020020883.tif 000011
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
着用した状態での使用が可能であり、かつ、使用時において着用者の側頭部に延びるテンプルと前記着用者の鼻梁に延びるクリングスとで自重を支える構成のメガネに取り付けられるノーズパッドにおいて、
前記クリングスの先端に取り付けられて、なめらかな面を有し、メガネの前記使用時においては、このなめらかな面で前記着用者の前記鼻梁に当たる鼻当て部と、
前記鼻当て部においてメガネの前記使用時に上側となる部分から延びだされる延長部と、
前記延長部において前記クリングス側とは反対側となる面に設けられて、その摩擦が前記鼻当て部の摩擦よりも大きくなるように構成された滑り止めと、
を備え、
前記延長部は、メガネの前記使用時において前記着用者の前記鼻梁側となる面に前記滑り止めを有して、当該滑り止めをメガネの前記使用時において前記着用者の前記鼻梁から離間させ、かつ、メガネをその前部が持ち上げられた状態で前記着用者の体表に支持させようとしたときには、当該体表に前記滑り止めを当接させる、
ノーズパッド。
【請求項２】
請求項１に記載されたノーズパッドであって、
前記体表が、前頭筋の前方に位置されて頭髪の毛包が分布されない部位であるひたいの皮膚である、
ノーズパッド。
【請求項３】
請求項１または請求項２に記載されたノーズパッドであって、
前記滑り止めが、前記鼻当て部側に傾斜した突出を有して構成され、
前記突出は、メガネの前部を持ち上げる動きには抵抗せず、かつ、このメガネの前部がずり落ちようとする動きには抵抗する流れのあるものである、
ノーズパッド。
【請求項４】
請求項３に記載されたノーズパッドであって、
前記滑り止めが、ウロコを有する魚の皮であり、かつ、このウロコを前記突出として機能させるものである、
ノーズパッド。
【請求項５】
請求項１ないし請求項４のうちのいずれか１項に記載されたノーズパッドであって、
前記滑り止めが、じゅんりんをウロコとして有する魚の皮である、
ノーズパッド。
【請求項６】
着用した状態での使用が可能なメガネにおいて、
メガネの使用時において着用者の側頭部に延びるテンプルと、
なめらかな面を有し、メガネの前記使用時においては、このなめらかな面で前記着用者の鼻梁に当たる鼻当て部と、
前記鼻当て部においてメガネの前記使用時に上側となる部分から延びだされる延長部と、
前記延長部における、メガネの前記使用時において前記鼻梁側となる面に設けられて、その摩擦が前記鼻当て部の摩擦よりも大きくなるように構成された滑り止めと、
を備え、
前記延長部は、メガネの前記使用時において前記滑り止めを前記着用者の前記鼻梁から離間させ、かつ、メガネをその前部が持ち上げられた状態で前記着用者の体表に支持させようとしたときには、当該体表に前記滑り止めを当接させる、
メガネ。